(57)【要約】【課題】箱状のランドセル本体を備えるランドセルに対して使用されるランドセルカバーであって、ランドセル本体が備える一対の側壁が汚れることや傷付くことを防止可能なランドセルカバーを提供する。【解決手段】本考案のランドセルカバー１は、非通水性材料から形成されている第一カバー材及び第二カバー材２０Ｂを備え、第一カバー材は、ランドセル本体３の一方の側壁１２Ａを覆うようにランドセル２に着脱可能に取り付けられ、第二カバー材２０Ｂは、ランドセル本体３の他方の側壁１２Ｂを覆うようにランドセル２に着脱可能に取り付けられる。【選択図】図１
0003231936.tif 000002
【実用新案登録請求の範囲】
【請求項１】
箱状のランドセル本体を備えるランドセルに対して使用されるランドセルカバーであって、
非通水性材料から形成されている第一及び第二カバー材を備え、
前記第一カバー材は、前記ランドセル本体の一方の側壁を覆うように前記ランドセルに着脱可能に取り付けられ、
前記第二カバー材は、前記ランドセル本体の他方の側壁を覆うように前記ランドセルに着脱可能に取り付けられるランドセルカバー。
【請求項２】
前記第一及び第二カバー材は、それぞれ、塩化ビニル、ポリプロピレン、ポリウレタン、或いはポリカーボネードから形成されている請求項１に記載のランドセルカバー。
【請求項３】
前記第一及び第二カバー材は、それぞれ、矩形状のカバー本体と、前記カバー本体の長手方向の一端から延びる第一延伸部とを備えており、前記第一延伸部の先端側には第一係合部が設けられ、前記本体部の一端側には第二係合部が設けられており、
前記第一及び第二カバー材は、それぞれ、前記カバー本体が前記側壁を覆うように配置された状態で、前記ランドセルが備えるバンドと前記側壁との間に前記第一延伸部を差し込み、且つ、前記第一延伸部の先端側を前記カバー本体側に折り返した状態で、前記第一係合部と前記第二係合部とを係合させることで、前記ランドセルに取り付けられ、
前記第一及び第二カバー材は、それぞれ、前記第一係合部と前記第二係合部との係合を解除して、前記バンドと前記側壁との間から前記第一延伸部を抜き出すことで、前記ランドセルから取り外される請求項１又は２に記載のランドセルカバー。
【請求項４】
前記第一及び第二カバー材は、それぞれ、前記カバー本体の長手方向の他端から延びる一対の第二延伸部を備え、
前記ランドセル本体の底壁には、前記ランドセルが備える一対の肩ベルトの一端が接続されており、
前記第一及び第二カバー材が前記ランドセルに取り付けられた状態では、前記第一カバー材の前記一対の第二延伸部の間に一方の前記肩ベルトの一端が位置し、前記第二カバー材の前記一対の第二延伸部の間に他方の前記肩ベルトの一端が位置するように、前記第一及び第二カバー材の前記一対の第二延伸部を前記底壁に沿わせて、前記第一カバー材の前記一対の第二延伸部と前記第二カバー材の前記一対の第二延伸部とを接続することが可能である請求項３に記載のランドセルカバー。
【請求項５】
前記第一及び第二カバー材の各々は、それぞれ、第一シート材に、第二、第三、及び第四シート材が接合されたものであり、
前記第一及び第二カバー材の各々では、
前記カバー本体の一端側と第一延伸部とが、前記第一シート材及び前記第二シート材の積層体によって構成され、
一方の前記第二延伸部の先端側が、前記第一シート材及び前記第三シート材の積層体によって構成され、
他方の前記第二延伸部の先端側が、前記第一シート材及び前記第四シート材の積層体によって構成され、
前記カバー本体の一端側以外の範囲と、一方の前記第二延部の先端側以外の範囲と、他方の前記第二延伸部の先端側以外の範囲とが、前記第一シート材によって構成される請求項４に記載のランドセルカバー。
【請求項６】
前記第一及び第二カバー材の各々において、
前記第一延伸部は、前記カバー本体の長手方向の一端における幅中央から延びており、
前記カバー本体の一端側には、塩化ビニルから形成された補強プレートが、前記カバー本体の幅方向に延びるように設けられる請求項３乃至５のいずれかに記載のランドセルカバー。
【考案の詳細な説明】
【技術分野】
【０００１】
本考案は、ランドセルの側壁が汚れることや傷付くことを防止可能なランドセルカバーに関する。
【背景技術】
【０００２】
従来の一般的なランドセルは、箱状の本体部と、蓋部とを備える。本体部は、前壁、一対の側壁、後壁、及び底壁から構成されており、上側に開口を有する。蓋部は、後壁から延設されるものであり、蓋部によって、本体部の開口や、本体部の前壁を覆うことができる。
【０００３】
特許文献１には、蓋部を汚れや傷から保護するために、蓋部に取り付けられるランドセルカバーが開示されている。
【先行技術文献】
【特許文献】
【０００４】
【特許文献１】特開２０２１−００３５４９号公報
【考案の概要】
【考案が解決しようとする課題】
【０００５】
ところで本体部の側壁は、蓋部に覆われず、人目に付きやすい部位であるところ、特許文献１に開示されるランドセルカバーは、蓋部のみを覆うものであるため、本体部の側壁を汚れや傷から保護することができない。  
【０００６】
本考案は、上記事項に鑑みなされたものであり、その目的は、箱状のランドセル本体を備えるランドセルに対して使用されるランドセルカバーであって、ランドセル本体が備える一対の側壁が汚れることや傷付くことを防止可能なランドセルカバーを提供することである。
【課題を解決するための手段】
【０００７】
上記目的を達成するため、本考案は、次の項に記載の主題を包含する。
【０００８】
項１．箱状のランドセル本体を備えるランドセルに対して使用されるランドセルカバーであって、
非通水性材料から形成されている第一及び第二カバー材を備え、
前記第一カバー材は、前記ランドセル本体の一方の側壁を覆うように前記ランドセルに着脱可能に取り付けられ、
前記第二カバー材は、前記ランドセル本体の他方の側壁を覆うように前記ランドセルに着脱可能に取り付けられるランドセルカバー。
【０００９】
項２．前記第一及び第二カバー材は、それぞれ、塩化ビニル、ポリプロピレン、ポリウレタン、或いはポリカーボネードから形成されている項１に記載のランドセルカバー。
【００１０】
項３．前記第一及び第二カバー材は、それぞれ、矩形状のカバー本体と、前記カバー本体の長手方向の一端から延びる第一延伸部とを備えており、前記第一延伸部の先端側には第一係合部が設けられ、前記本体部の一端側には第二係合部が設けられており、
前記第一及び第二カバー材は、それぞれ、前記カバー本体が前記側壁を覆うように配置された状態で、前記ランドセルが備えるバンドと前記側壁との間に前記第一延伸部を差し込み、且つ、前記第一延伸部の先端側を前記カバー本体側に折り返した状態で、前記第一係合部と前記第二係合部とを係合させることで、前記ランドセルに取り付けられ、
前記第一及び第二カバー材は、それぞれ、前記第一係合部と前記第二係合部との係合を解除して、前記バンドと前記側壁との間から前記第一延伸部を抜き出すことで、前記ランドセルから取り外される項１又は２に記載のランドセルカバー。
【００１１】
項４．前記第一及び第二カバー材は、それぞれ、前記カバー本体の長手方向の他端から延びる一対の第二延伸部を備え、
前記ランドセル本体の底壁には、前記ランドセルが備える一対の肩ベルトの一端が接続されており、
前記第一及び第二カバー材が前記ランドセルに取り付けられた状態では、前記第一カバー材の前記一対の第二延伸部の間に一方の前記肩ベルトの一端が位置し、前記第二カバー材の前記一対の第二延伸部の間に他方の前記肩ベルトの一端が位置するように、前記第一及び第二カバー材の前記一対の第二延伸部を前記底壁に沿わせて、前記第一カバー材の前記一対の第二延伸部と前記第二カバー材の前記一対の第二延伸部とを接続することが可能である項３に記載のランドセルカバー。
【００１２】
項５．前記第一及び第二カバー材の各々は、それぞれ、第一シート材に、第二、第三、及び第四シート材が接合されたものであり、
前記第一及び第二カバー材の各々では、
前記カバー本体の一端側と第一延伸部とが、前記第一シート材及び前記第二シート材の積層体によって構成され、
一方の前記第二延伸部の先端側が、前記第一シート材及び前記第三シート材の積層体によって構成され、
他方の前記第二延伸部の先端側が、前記第一シート材及び前記第四シート材の積層体によって構成され、
前記カバー本体の一端側以外の範囲と、一方の前記第二延部の先端側以外の範囲と、他方の前記第二延伸部の先端側以外の範囲とが、前記第一シート材によって構成される項４に記載のランドセルカバー。
【００１３】
項６．前記第一及び第二カバー材の各々において、
前記第一延伸部は、前記カバー本体の長手方向の一端における幅中央から延びており、
前記カバー本体の一端側には、塩化ビニルから形成された補強プレートが、前記カバー本体の幅方向に延びるように設けられる項３乃至５のいずれかに記載のランドセルカバー。
【考案の効果】
【００１４】
本考案に係るランドセルカバーによれば、第一カバー材がランドセルの一方の側壁を覆うようにランドセルに取り付けられ、第二カバー材がランドセルの他方の側壁を覆うようにランドセルに取り付けられることで、上記一方及び他方の側壁が汚れることやが傷付くことを防止できる。
【図面の簡単な説明】
【００１５】
【図１】本考案の実施形態に係るランドセルカバーが取り付けられるランドセルの斜視図である。
【図２】図１に示すランドセルの正面図である。
【図３】図１に示すランドセルの一方の側面を示す側面図である。
【図４】図１に示すランドセルの他方の側面を示す側面図である。
【図５】図１に示すランドセルの底面図である。
【図６】（Ａ）は、ランドセルカバーが備える第一カバー材の表面を示す平面図であり、（Ｂ）は第一カバー材の裏面を示す平面図である。
【図７】（Ａ）は、ランドセルカバーが備える第二カバー材の表面を示す平面図であり、（Ｂ）は第二カバー材の裏面を示す平面図である。
【図８】図６（Ａ）のａ−ａ線断面及び図７（Ａ）のｄ−ｄ線断面を示す断面図である。
【図９】（Ａ）は、図６（Ａ）のｂ−ｂ線断面図であり、（Ｂ）は、図６（Ａ）のｃ−ｃ線断面図である。
【図１０】（Ａ）は、図７（Ａ）のｅ−ｅ線断面図であり、（Ｂ）は、図７（Ａ）のｆ−ｆ線断面図である。
【図１１】（Ａ）は、図３のｇ−ｇ線断面図であり、（Ｂ）は、図４のｈ−ｈ線断面図である。
【図１２】（Ａ）は、図５のｉ−ｉ線断面図であり、（Ｂ）は、図５のｊ−ｊ線断面図である。
【図１３】（Ａ）は、ランドセルカバーが備える補強プレートの平面図であり、（Ｂ）〜（Ｅ）は、補強プレートの側面図である。
【考案を実施するための形態】
【００１６】
以下、本考案の実施形態について図面を参照しつつ説明する。図１〜図５は、本考案の実施形態に係るランドセルカバー１が取り付けられるランドセル２を示す図であり、図１はランドセル２の斜視図、図２はランドセル２の正面図、図３はランドセル２の一方の側面を示す側面図、図４はランドセル２の他方の側面を示す側面図、図５はランドセル２の底面図である。
【００１７】
ランドセル２は、箱状のランドセル本体３と、第一ポケット部４と、第二ポケット部５と、蓋部６と、一対の肩ベルト７Ａ，７Ｂと、一対のバンド８Ａ，８Ｂとを備えており、これら各部の主な素材として、例えば人工皮革、合成皮革、或いは天然皮革が使用される。
【００１８】
ランドセル本体３は、前壁１０、後壁１１、一対の側壁１２Ａ，１２Ｂ、及び底壁１３を備えており、上側（底壁１３の反対側）に開口１４（図１）が形成されている。図５に示すように、底壁１３は、矩形状を呈しており、底壁１３の外周を構成する４辺１３ａ，１３ｂ，１３ｃ，１３ｄのうち、辺１３ａから前壁１０が上側に延び、辺１３ａと相対する辺１３ｃから後壁１１が上側に延び、辺１３ｂから側壁１２Ａが上側に延び、辺１３ｂと相対する辺１３ｄから側壁１２Ｂが上側に延びる。以下では、辺１３ａと辺１３ｃとが相対する方向（前壁１０と後壁１１とが相対する方向）を前後方向と記し、辺１３ｂと辺１３ｄとが相対する方向（側壁１２Ａと側壁１２Ｂとが相対する方向）を左右方向と記す。
【００１９】
第一ポケット部４は、前壁１０の外側（前側）に設けられた箱状体であり、上側に開口１５（図１）を有する。
【００２０】
第二ポケット部５は、第１ポケット部４の外側（前側）に設けられており、ファスナー１７により開閉可能である（ファスナーは登録商標）。第二ポケット部５の下部には留め具１８が設けられる。
【００２１】
蓋部６は、後壁１１の上縁から延設されており、蓋部６の先端には留め具１９が設けられる。図２〜図５に示すように、蓋部６を前側に延ばして、留め具１９を留め具１８に締結することで、ランドセル本体３の開口１４（図１）や、第一ポケット部４の開口１５（図１）や、ランドセル本体３・第一ポケット部４・第二ポケット部５の前側が、蓋部６に覆われた状態となる。
【００２２】
肩ベルト７Ａ，７Ｂは、後壁１１の後側で上下方向に延びるものであり、肩ベルト７Ａ，７Ｂのそれぞれの一端は、底壁１３に接続される（図５の７Ａａは肩ベルト７Ａの一端を示し、図５の７Ｂａは肩ベルト７Ｂの一端を示す）。肩ベルト７Ａ，７Ｂのそれぞれの他端は、後壁１１の上端部に接続される。学童等のユーザーは、自身の両腕を肩ベルト７Ａ，７Ｂと後壁１１との間に通すことで、ランドセル２を背負うことができる。
【００２３】
バンド８Ａ，８Ｂは、ランドセル１の装飾のために、或いは第一ポケット部４の保形のために、ランドセル１に設けられる。バンド８Ａは、第一ポケット部４に沿って左右方向に延びた後、側壁１２Ａに沿って前後方向に延びるものであり、バンド８Ａの一端８Ａａ（図１）は、第一ポケット部４に固定され、バンド８Ａの他端８Ａｂ（図３）は、側壁１２Ａに固定される。バンド８Ａは、第一ポケット部４に沿って左右方向に延びた後、側壁１２Ｂに沿って前後方向に延びるものであり、バンド８Ｂの一端８Ｂａ（図１）は、第一ポケット部４に固定され、バンド８Ｂの他端８Ｂｂ（図１，図４）は、側壁１２Ｂに固定される。
【００２４】
次に、ランドセルカバー１について説明する。
【００２５】
ランドセルカバー１は、ランドセル２の側壁１２Ａ，１２Ｂを汚れや傷から保護するために、ランドセル２に対して使用される。
【００２６】
ランドセルカバー１は、第一カバー材２０Ａ（図３，図５）と、第二カバー材２０Ｂ（図１，図４，図５）と、補強プレート２１（図１，図３，図４）とを備える。
【００２７】
第一カバー材２０Ａ（図３，図５）は、ランドセル２の一方の側壁１２Ａを覆うようにランドセル２に着脱可能に取り付けられる。第二カバー材２０Ｂ（図１，図４，図５）は、ランドセル２の他方の側壁１２Ｂを覆うようにランドセル２に着脱可能に取り付けられる。補強プレート２１（図１，図３，図４）は、第一及び第二カバー材２０Ａ，２０Ｂの各々に対して設けられる（図３には、第一カバー材２０Ａに対して設けられる補強プレート２１を示し、図１及び図４には、第二カバー材２０Ｂに対して設けられる補強プレート２１を示す）。
【００２８】
図６（Ａ）は第一カバー材２０Ａの表面を示す平面図であり、図６（Ｂ）は第一カバー材２０Ａの裏面を示す平面図である。図７（Ａ）は第二カバー材２０Ｂの表面を示す平面図であり、図７（Ｂ）は第二カバー材２０Ｂの裏面を示す平面図である。図８は、図６（Ａ）のａ−ａ線断面及び図７（Ａ）のｄ−ｄ線断面を示す図である（図６（Ａ）のａ−ａ線断面と、図７（Ａ）のｄ−ｄ線断面とは、同一の形状であることで、図８でまとめて示している）。図９（Ａ）は、図６（Ａ）のｂ−ｂ線断面図である。図９（Ｂ）は、図６（Ａ）のｃ−ｃ線断面図である。図１０（Ａ）は、図７（Ａ）のｅ−ｅ線断面図である。図１０（Ｂ）は、図７（Ａ）のｆ−ｆ線断面図である。図１１（Ａ）は、図３のｇ−ｇ線断面図である。図１１（Ｂ）は、図４のｈ−ｈ線断面図である。図１２（Ａ）は、図５のｉ−ｉ線断面図である。図１２（Ｂ）は、図５のｊ−ｊ線断面図である。図１３（Ａ）は、補強プレート２１の平面図であり、図１３（Ｂ）〜図１３（Ｅ）は、補強プレート２１の側面図である。
【００２９】
第一及び第二カバー材２０Ａ，２０Ｂは、それぞれ、カバー本体３０と、第一延伸部３１と、一対の第二延伸部３２Ａ，３２Ｂとを備えており、カバー本体３０、第一延伸部３１、及び第二延伸部３２Ａ，３２Ｂは、それぞれ矩形状を呈する。
【００３０】
カバー本体３０の長さＬａ（図６，図７）は、例えば２２５ｍｍ以上２４５ｍｍ以下とされる。カバー本体３０の幅Ｈａ（図６，図７）は、例えば１０５ｍｍ以上１２５ｍｍ以下とされる。
【００３１】
第一延伸部３１は、カバー本体３０の長手方向の一端における幅中央から延びる。第一延伸部３１の長さＬｂ（図６，図７）は、例えば７７ｍｍ以上９７ｍｍ以下とされる。第一延伸部３１の幅Ｈｂ（図６，図７）は、例えば３５ｍｍ以上５５ｍｍ以下とされる。
【００３２】
一対の第二延伸部３２Ａ，３２Ｂは、それぞれ、カバー本体３０の長手方向の他端から延びる。具体的には、第二延伸部３２Ａ，３２Ｂは、カバー本体の幅方向に間隔Ｐをあけて設けられるものであり、一方の第二延伸部３２Ａは、カバー本体３０の他端における幅一方側から延び、他方の第二延伸部３２Ｂは、カバー本体３０の他端における幅他方側から延びる。
【００３３】
第二延伸部３２Ａ，３２Ｂの各々の長さＬｃ（図６，図７）は、例えば７７ｍｍ以上９７ｍｍ以下とされる。第二延伸部３２Ａ，３２Ｂの各々の幅Ｈｃ（図６，図７）は、例えば２５ｍｍ以上４５ｍｍ以下とされる。第二延伸部３２Ａ，３２Ｂの間の間隔Ｐ（図６，図７）は、例えば３５ｍｍ以上５５ｍｍ以下とされる。
【００３４】
第一及び第二カバー材２０Ａ，２０Ｂは、全ての角或いは一部の角が、丸みを帯びた形状とされることが好ましい。図示例では、第一及び第二カバー材２０Ａ，２０Ｂは、それぞれ、第一延伸部３１の先端の２つの角Ｋ１，Ｋ２や、カバー本体３０の一端の２つの角Ｋ３，Ｋ４や、第二延伸部３２Ａの先端の２つの角Ｋ５，Ｋ６や、第二延伸部３２Ｂの先端の２つの角Ｋ７，Ｋ８や、第二延伸部３２Ａの基端の角Ｋ９や、第二延伸部３２Ｂの基端の角Ｋ１０が、丸みを帯びた形状とされており、第一延伸部３１の基端の２つの角Ｋ１１，Ｋ１２が、直角とされている。なお角Ｋ１１，Ｋ１２も、丸みを帯びた形状とされてもよい。
【００３５】
第一及び第二カバー材２０Ａ，２０Ｂは、それぞれ、非通水性材料から形成される。当該非通水性材料は、例えば、塩化ビニル、ポリプロピレン、ポリウレタン、或いは、ポリカーボネードである（すなわち、第一及び第二カバー材２０Ａ，２０Ｂは、例えば、塩化ビニル、ポリプロピレン、ポリウレタン、或いはポリカーボネードから形成される）。
【００３６】
より具体的には、第一及び第二カバー材２０Ａ，２０Ｂは、それぞれ、第一シート材Ｓ１に、第二，第三，第四シート材Ｓ２，Ｓ３，Ｓ４が接合されたものであり、第一〜第四シート材Ｓ１〜Ｓ４が上記の非通水性材料から形成されている。
【００３７】
図６〜図８、図９及び図１０等に示すように、第一及び第二カバー材２０Ａ，２０Ｂの各々では、第一延伸部３１とカバー本体３０の一端側３０ａとが、第一シート材Ｓ１及び第二シート材Ｓ２の積層体によって構成され、一方の第二延伸部３２Ａの先端側３２Ａａが、第一シート材Ｓ１及び第三シート材Ｓ３の積層体によって構成され、他方の第二延伸部３２Ｂの先端側３２Ｂａが、第一シート材Ｓ１及び第四シート材Ｓ４の積層体によって構成され、カバー本体３０における一端側３０ａ以外の範囲と、第二延伸部３２Ａにおける先端側３２Ａａ以外の範囲と、第二延伸部３２Ｂにおける先端側３２Ｂａ以外の範囲とが、第一シート材Ｓ１のみによって構成される。
【００３８】
上記のカバー本体３０の一端側３０ａの長さＬｄ（図６，図７）は、例えば２０ｍｍ以上４０ｍｍ以下とされる。上記の第二延伸部３２Ａの先端側３２Ａａ，３２Ｂａの各々の長さＬｅ（図６，図７）は、例えば５０ｍｍ以上７０ｍｍ以下とされる。
【００３９】
第二シート材Ｓ２は、これの外周をなす辺のうち、カバー材２０の外周を構成する辺が第一シート材Ｓ１に接合される（カバー材２０は、第一及び第二カバー材２０Ａ，２０Ｂの総称として記している。図６〜図１０のＳ２ａは、第一シート材Ｓ１に接合されない第二シート材Ｓ２の辺を示しており、第二シート材Ｓ２は、辺Ｓ２ａ以外の辺が、第一シート材Ｓ１に接合される）。第三シート材Ｓ３や第四シート材Ｓ４は、これらの外周をなす四辺の全てが第一シート材Ｓ１に接合される。上記第一シート材Ｓ１への第二〜第三シート材Ｓ２〜Ｓ４の接合は、例えば、高周波ウェルダー加工による溶着で行われる。
【００４０】
なお図示例の第一及び第二カバー材２０Ａ，２０Ｂでは、第二、第三、第四シート材Ｓ２，Ｓ３，Ｓ４が、いずれも第一シート材Ｓ１の裏面側に積層されているが（図９及び図１０参照）、第二、第三、第四シート材Ｓ２，Ｓ３，Ｓ４のいずれか或いは全てが、第一シート材Ｓ１の表面側に積層されてもよい。
【００４１】
また第一及び第二カバー材２０Ａ，２０Ｂを構成する第一〜第四シート材Ｓ１〜Ｓは、加工や接合を容易にする観点から、塩化ビニルから形成されることが好ましい。
【００４２】
補強プレート２１（図１，図３，図４，図１３）は、塩化ビニルから形成される。補強プレート２１の長さＬｆは、第一延伸部３１の幅Ｈｂよりも大きく、カバー本体３０の幅Ｈａ未満とされる。補強プレート２１の幅Ｈｄは、カバー本体３０の一端側３０ａの長さＬｄ未満とされる。
【００４３】
第一及び第二カバー材２０Ａ，２０Ｂの各々では、補強プレート２１がカバー本体３０の幅方向（図６，図７の左右方向）に延びるように補強プレート２１の向きが調整された状態で、辺Ｓ２ａ側から補強プレート２１が第一シート材Ｓ１と第二シート材Ｓ２との間に挿入されることで、補強プレート２１が、カバー本体３０の一端側（第一延伸部３１側）に設けられて、カバー本体３０の幅方向（図６，図７の左右方向）に延びるものとされる。
【００４４】
第一及び第二カバー材２０Ａ，２０Ｂの各々は、ランドセル２に着脱可能に取り付けるための手段として、第一係合部４０と第二係合部４１とを備える。第一及び第二係合部４０，４１は、スナップボタンと称される部材であり、第一係合部４０は、第一延伸部３１に設けられ、第二係合部４１は、カバー本体３０の一端側３０ａに設けられる。
【００４５】
図８〜図１１に示すように、第一係合部４０は、キャップ４２とソケット４３とを有しており、キャップ４２及びソケット４３は、それぞれ樹脂或いは金属から形成される。キャップ４２の中央には脚部４４が形成される。ソケット４３は、有底の筒体であり、底板４５の中央に貫通孔４６が形成される。第一係合部４０は、第一延伸部３１の裏面側にキャップ４２を配置し、第一延伸部３１の表面側にソケット４３を配置した状態で、第一延伸部３１を貫通させた脚部４４を貫通孔４６に挿入して、脚部４４の先端を圧潰することで、第一延伸部３１に取り付けられる。
【００４６】
図８〜図１１に示すように、第二係合部４１は、キャップ４７とスタッド４８とを有しており、キャップ４７及びスタッド４８は、それぞれ樹脂或いは金属から形成される。キャップ４７の中央には脚部４９が形成される。スタッド４８は、有底の筒体であり、底板５０の中央には貫通孔５１が形成される。第二係合部４１は、カバー本体３０の裏面側にキャップ４７を配置し、カバー本体３０の表面側にスタッド４８を配置した状態で、カバー本体３０を貫通させた脚部４９を貫通孔５１に挿入して、脚部４９の先端を圧潰することで、カバー本体３０に取り付けられる。
【００４７】
図１３に示すように、補強プレート２１には、第一シート材Ｓ１と第二シート材Ｓ２との間に挿入された状態で、第二係合部４１を差し込むための切り欠け２１ａが形成されている。なお切り欠け２１ａは必ずしも必要ではなく、補強プレート２１は、切り欠け２１ａを有しないものとされ得る。
【００４８】
図３及び図１１（Ａ）に示すように、第一カバー材２０Ａは、カバー本体３０が側壁１２Ａを覆うように配置された状態で、バンド８Ａと側壁１２Ａとの間に第一延伸部３１を差し込み、且つ、第一延伸部３１の先端側をカバー本体３０側に折り返した状態で、第一係合部４０のソケット４３と第二係合部４１のスタッド４８とを係合させることで、ランドセル１に取り付けられる。
【００４９】
図４及び図１１（Ｂ）に示すように、第二カバー材２０Ｂは、カバー本体３０が側壁１２Ｂを覆うように配置された状態で、バンド８Ｂと側壁１２Ｂとの間に第一延伸部３１を差し込み、且つ、第一延伸部３１の先端側をカバー本体３０側に折り返した状態で、第一係合部４０のソケット４３と第二係合部４１のスタッド４８とを係合させることで、ランドセル１に取り付けられる。
【００５０】
そして第一及び第二カバー材２０Ａ，２０Ｂの各々は、第一係合部４０のソケット４３と第二係合部４１のスタッド４８との係合を解除して、バンド８と側壁１２との間から第一延伸部３１を抜き出すことで、ランドセル１から取り外すことができる。
【００５１】
また図６，図７，図９，図１０，図１２に示すように、第一及び第二カバー材２０Ａ，２０Ｂの各々では、第二延伸部３２Ａの先端側３２Ａａに面ファスナー５０Ａが設けられ、第二延伸部３２Ｂの先端側３２Ｂａに面ファスナー５０Ｂが設けられる。
【００５２】
第一カバー材２０Ａでは、面ファスナー５０Ａ，５０Ｂは表面側に設けられる。第二カバー材２０Ｂでは、面ファスナー５０Ａ，５０Ｂは裏面側に設けられる。より具体的には、第一カバー材２０Ａでは、図９に示すように、面ファスナー５０Ａは、第一シート材Ｓ１の表面側に積層された状態で、第一及び第三シート材Ｓ１，Ｓ３に縫い付けられ、面ファスナー５０Ｂは、第一シート材Ｓ１の表面側に積層された状態で、第一及び第四シート材Ｓ１，Ｓ４に縫い付けられる。第二カバー材２０Ｂでは、図１０に示すように、面ファスナー５０Ａは、第三シート材Ｓ３の裏面側に積層された状態で第一及び第三シート材Ｓ１，Ｓ３に縫い付けられ、面ファスナー５０Ｂは、第四シート材Ｓ４の裏面側に積層された状態で第一及び第四シート材Ｓ１，Ｓ４に縫い付けられる。
【００５３】
第一及び第二カバー材２０Ａ，２０Ｂがランドセル２に取り付けられた状態では、図５に示すように、第一カバー材２０Ａの第二延伸部３２Ａ，３２Ｂの間に肩ベルト７Ａの一端７Ａａが位置し、第二カバー材２０Ｂの第二延伸部３２Ａ，３２Ｂの間に肩ベルト７Ｂの一端７Ｂａが位置するように、第一及び第二カバー材２０Ａ，２０Ｂの第二延伸部３２Ａ，３２Ｂを底壁１３に沿わせるとともに、図１２に示すように、第一カバー材２０Ａの面ファスナー５０Ｂと第二カバー材２０Ｂの面ファスナー５０Ａとが接合され、第一カバー材２０Ａの面ファスナー５０Ａと第二カバー材２０Ｂの面ファスナー５０Ｂとが接合されることで、第一カバー材２０Ａの第二延伸部３２Ａ，３２Ｂと、第一カバー材２０Ａの第二延伸部３２Ａ，３２Ｂとが接続される。なお図示例とは逆に、第一カバー材２０Ａで面ファスナー５０Ａ，５０Ｂを裏面側に設け、第二カバー材２０Ｂで面ファスナー５０Ａ，５０Ｂを表面側に設けてもよい。このようにしても、第一カバー材２０Ａの面ファスナー５０Ｂと第二カバー材２０Ｂの面ファスナー５０Ａとが接合され、第一カバー材２０Ａの面ファスナー５０Ａと第二カバー材２０Ｂの面ファスナー５０Ｂとが接合されることで、第一カバー材２０Ａの第二延伸部３２Ａ，３２Ｂと、第一カバー材２０Ａの第二延伸部３２Ａ，３２Ｂとを接続できる。
【００５４】
本実施形態に係るランドセルカバー１によれば、第一カバー材２０Ａが側壁１２Ａを覆うようにランドセル２に取り付けられ、第二カバー材２０Ｂが側壁１２Ｂを覆うようにランドセル２に取り付けられることで、側壁１２Ａ，１２Ｂが泥や埃等によって汚れることや、側壁１２Ａ，１２Ｂが傷付くことを防止できる。
【００５５】
またランドセルカバー１によれば、第一延伸部３１をバンド８と側壁１２との間に差し込んで折り返して、係合部４０，４１を係合させる簡易な作業で、カバー材２０Ａ，２０Ｂをランドセル１に取り付けることができる（図１１参照）。また係合部４０，４１の係合を解除して、バンド８と側壁１２との間から第一延伸部３１を抜き出す簡易な作業で、カバー材２０Ａ，２０Ｂをランドセルから取り外すことができる。
【００５６】
また第一及び第二カバー材２０Ａ，２０Ｂの各々では、カバー本体３０の一端側（第一延伸部３１側）に、塩化ビニルから形成された補強プレート２１がカバー本体３０の幅方向に延びるように設けられることで、カバー本体３０の一端側がめくれることを防止できる。なお補強プレート２１の長さＬｆを、カバー本体３０の幅Ｈａと略等しくすることが好ましい。このようにすれば、カバー本体３０の幅全長に亘って、カバー本体３０の一端側がめくれることを防止できる。
【００５７】
本考案は、上記実施形態に示すものに限定されず、種々改変することができる。
【００５８】
例えば、第一係合部４０及び第二係合部４１の構造は、図示例の構造に限定されない。第一係合部４０及び第二係合部４１は、これらの係合によって第一及び第二カバー材２０Ａ，２０Ｂをランドセルに取り付け、これらの係合の解除によって第一及び第二カバー材２０Ａ，２０Ｂをランドセルから取り外し可能な様々な構造を有するものとされ得る。
【００５９】
また第一及び第二カバー材２０Ａ,２０Ｂは、両面テープや紐を用いて、ランドセル２に着脱可能に取り付けられてもよい。
【００６０】
また上記実施形態では、第一カバー材２０Ａの第二延伸部３２Ａ，３２Ｂと第一カバー材２０Ａの第二延伸部３２Ａ，３２Ｂとを接続するために、面ファスナー５０Ａ，５０Ｂを用いる例を示したが、面ファスナー以外の公知の手段によって、第一カバー材２０Ａの第二延伸部３２Ａ，３２Ｂと第一カバー材２０Ａの第二延伸部３２Ａ，３２Ｂとが接続されてもよい。
【００６１】
また上記実施形態では、第一シート材Ｓ１に第二，第三，第四シート材Ｓ２，Ｓ３，Ｓ４を接合することで、第一及び第二カバー材２０Ａ，２０Ｂが形成される例を示したが、第一及び第二カバー材２０Ａ,２０Ｂは、単一のシート材から構成されてもよく、４以外の複数のシート材から構成されたものであってもよい。
【００６２】
また上記実施形態では、補強プレート２１を第一シート材Ｓ１と第二シート材Ｓ２との間に挿入することで、補強プレート２１が、カバー本体３０の一端側に設けられる例を示したが、補強プレート２１をカバー本体３０に接着することで、補強プレート２１がカバー本体３０の一端側に設けられてもよい。
【００６３】
また補強プレート２１は、必ずしも必要ではなく、ランドセルカバー１から省略されてもよい。
【００６４】
また第一及び第二カバー材２０Ａ，２０Ｂの各々において、カバー本体３０の長さＬａや、カバー本体３０の幅Ｈａや、第一延伸部３１の長さＬｂや、第一延伸部３１の幅Ｈｂや、第二延伸部３２Ａ，３２Ｂの各々の長さＬｃや、第二延伸部３２Ａ，３２Ｂの各々の幅Ｈｃや、第二延伸部３２Ａ，３２Ｂの間の間隔Ｐや、カバー本体３０の一端側３０ａの長さＬｄや、第二延伸部３２Ａの先端側３２Ａａ，３２Ｂａの各々の長さＬｅは、上記の値に限定されず、ランドセル２の寸法等に応じて適宜設定され得る。また補強プレート２１の長さＬｆや幅Ｈｄも、第一及び第二カバー材２０Ａ，２０Ｂの寸法等に応じて適宜設定され得る。
【００６５】
また第一及び第二カバー材２０Ａ，２０Ｂは、無色透明或いは有色透明の非透水性材料から形成されてもよく、有色不透明の非透水性材料から形成されてもよい。また第一及び第二カバー材２０Ａ，２０Ｂには、装飾のために、模様及び／又は文字が印刷されてもよい。
【００６６】
また第一及び第二カバー材２０Ａ，２０Ｂの形状は、ランドセル２の側面１２Ａ，１２Ｂの形状等に応じて適宜変更され得る。例えば第一及び第二カバー材２０Ａ，２０Ｂは、第一延伸部３１及び／又は第二延伸部３２Ａ，３２Ｂを備えないものであってもよい。また例えば、第一及び第二カバー材２０Ａ，２０Ｂは、ランドセル２の側面１２を覆うカバー本体３０のみを備えるものであってもよく、当該カバー本体３０の形状も、矩形以外の任意の形状とされ得る。
【００６７】
また本考案のランドセルカバーを使用可能なランドセルは、図１〜図５に示したランドセル２に限定されない。本考案のランドセルカバーは、箱状のランドセル本体を備える様々なランドセルに対して使用され得る。
【符号の説明】
【００６８】
１  ランドセルカバー
２  ランドセル
３  ランドセル本体
７Ａ，７Ｂ  肩ベルト
７Ａａ，７Ｂａ  肩ベルトの一端
８Ａ，８Ｂ  バンド
１２Ａ，１２Ｂ  側壁
１３  底壁
２０Ａ  第一カバー材
２０Ｂ  第二カバー材
２１  補強プレート
３０  カバー本体
３０ａ  カバー本体の一端側
３１  第一延伸部
３２Ａ，３２Ｂ  第二延伸部
３２Ａａ，３２Ｂａ  第二延伸部の先端側
４０  第一係合部
４１  第二係合部
Ｓ１  第一シート材
Ｓ２  第二シート材
Ｓ３  第三シート材
Ｓ４  第四シート材
【図１】
0003231936.tif 000003
【図２】
0003231936.tif 000004
【図３】
0003231936.tif 000005
【図４】
0003231936.tif 000006
【図５】
0003231936.tif 000007
【図６】
0003231936.tif 000008
【図７】
0003231936.tif 000009
【図８】
0003231936.tif 000010
【図９】
0003231936.tif 000011
【図１０】
0003231936.tif 000012
【図１１】
0003231936.tif 000013
【図１２】
0003231936.tif 000014
【図１３】
0003231936.tif 000015